(57)【特許請求の範囲】
【請求項１】
筐体内に光源装置と、光源側光学系と、投影画像を生成する表示素子と、投影画像を投影する投影側光学系と、前記光源装置を冷却する冷却ファンとを有し、
前記筐体の内部には、吸気側空間室と排気側空間室に区画する区画用隔壁を備え、
前記光源装置を前記排気側空間室に有し、
前記冷却ファンの吸込み口は前記吸気側空間室内に位置すると共に、前記冷却ファンの吐出口は前記排気側空間室内に開口し、
前記筐体の底面板には、前記冷却ファンの吐出口近傍に外気を取り入れる底部吸気孔を有し、
前記吸気側空間室側の筐体の側板には吸気孔を有し、前記排気側空間室側の筐体の側板には排気孔を有し、
前記冷却ファンの吐出口からの排気と前記底部吸気口からの外気を混合して前記排気室に配置した光源装置を冷却することを特徴とするプロジェクタ。
【請求項２】
前記底部吸気孔には整流板が斜設されていることを特徴とする請求項１に記載のプロジェクタ。
【請求項３】
前記排気孔にはルーバーが斜設されていることを特徴とする請求項１又は請求項２に記載のプロジェクタ。
【発明の詳細な説明】
【技術分野】
【０００１】
本発明は、ビデオ信号等に基づいて画像を投影するデータプロジェクタに関するものである。
【背景技術】
【０００２】
今日、パーソナルコンピュータの画面に表示される画像やビデオ信号の画像、更にはメモリカードなどに記憶されている画像データによる画像などをスクリーンに投影するデータプロジェクタが多用されている。
【０００３】
このデータプロジェクタは、多くの場合、メタルハイランドランプや超高圧水銀ランプなどの小型高輝度の光源を用い、光源から射出された光をカラーフィルタにより3原色の光として光源側光学系により液晶やＤＭＤ（デジタル・マイクロ・デバイス）と呼ばれる表示素子に照射し、表示素子の透過光又は反射光をズーム機能を備えた投影側光学系とされるレンズ群を介してスクリーンに投影する構造とされている。
【０００４】
そして、このデータプロジェクタは、光源や、光源側光学系、電源回路、表示素子などの複数の発熱源を内蔵し、中でも光源は千度近くまで高温になる。このため、空冷ファンを設けて発熱源である光源装置や電源回路などを冷却する機構が組み込まれている。このような冷却機構としては、特に高温となり且つ発熱量も多い光源装置を他の発熱源と区分するように流路を形成すると共に、光源装置よりも低温の光学系を冷却した冷却風で光源を冷却し、電源ユニットなどを光源とは異なる流路とした冷却風により冷却するものが提案されている。
【０００５】
例えば、特開２００５−１７３０２０号公報（特許文献１）では、筐体内の空気の流れを作るための基板や隔壁を設けて各区画流路の熱源を冷却して、多数の冷却ファンにより複数の排出孔や吸気孔から筐体内の空気を外気と入れ換えている。
【０００６】
しかしながら、光源は数百度から千度近くまで高温となり、これらの光源を冷却した高温排熱風と外気などとを混合して排気温度を低下させるためには、熱源からの距離が必要となる場合が多く、プロジェクタの厚さを厚くしたり、筐体の大きさを大きくしたりする必要が生じていた。また、高温排熱風は、排気口やその周辺を加熱することがあり、投影レンズの前方に排熱風が回り込むと投影画像に揺らぎを与えるという不具合もあった。
【特許文献１】特開２００５−１７３０２０号公報
【発明の開示】
【発明が解決しようとする課題】
【０００７】
本発明は、上述したような従来技術の問題点に鑑みてなされたものであり、一つのファンでプロジェクタ全体を効率よく冷却可能であり、更に、高温の熱源である光源装置を冷却するのに、他の熱源を冷却して暖められた空気のみでなく、新鮮な外気と合わせて温度が低く且つ充分な風量により高温の熱源を冷却し、排熱風の温度も低減することのできる冷却構造を備えたプロジェクタを提供することを目的とする。
【課題を解決するための手段】
【０００８】
本発明は、筐体内に光源装置（63）と、光源側光学系（61）と、投影画像を生成する表示素子（51）と、投影画像を投影する投影側光学系（62）と、光源装置（63）を冷却する冷却ファンとしてのブロア（110）とを有し、筐体の内部には、吸気側空間室（121）と排気側空間室（122）に区画する区画用隔壁（120）を備え、光源装置（63）を排気側空間室（122）に有し、冷却ファンの吸込み口（111）を吸気側空間室（121）内に位置させると共に、冷却ファンの吐出口（113）を排気側空間室（122）内に開口させ、吸気側空間室（121）側の筐体の側板には吸気孔（18）を設け、排気側空間室（122）側の筐体の側板には排気孔（17）を設け、筐体の底面板（16）には、排気側空間室（122）において、冷却ファンとしてのブロア（110）の吐出口（113）近傍に底部吸気孔（114）を設けたプロジェクタ（10）とするものである。
【０００９】
尚、底部吸気孔（114）には、整流板（115）が斜設されていることが好ましく、排気側空間室（122）側の筐体の側板に形成した排気孔（17）には、ルーバー（20）を設けることが好ましい。
【発明の効果】
【００１１】
本発明によれば、プロジェクタ全体を効率よく冷却することが可能であり、更に、高温の熱源である光源装置を冷却するのに充分な風量を排気可能な冷却構造を有するプロジェクタを提供できる。
【発明を実施するための最良の形態】
【００１２】
本発明を実施するための最良の形態のプロジェクタ10は、略直方体の筐体からなり、筐体内部には光源装置63と、光源装置63からの光を表示素子51に導く光源側光学系61と、光源装置63から光源側光学系61を介した光を受けて投影画像を生成する表示素子55と、表示素子55の生成した投影画像を投影する投影側光学系62と、光源装置63を冷却する冷却ファンとしてのブロア110とを備えるものである。
【００１３】
そして、筐体内には筐体内部を吸気側空間室121と排気側空間室122に区画する区画用隔壁120を備え、吸気側空間室121に配置した冷却ファンとしてのブロア110の吸込み口111は吸気側空間室121に位置させるものとし、吐出口113は区画用隔壁120に接続して吐出口113を排気側空間室122に開口させ、筐体には側板である背面板13や側面板14，15に吸気孔18を備え、吸気側空間室121に配置した冷却ファンにより外気を吸気側空間室121内に吸気可能とし、光源装置63を排気側空間室122に有し、この光源装置63を冷却した排気側空間室122内の空気を筐体外部へ排出する排気孔17を側板である前面板12に有するものである。
【００１４】
又、底面板16には、底部吸気孔114を冷却ファンの吐出口113の近傍に備え、冷却ファンの吐出口113から空気が排気されることにより発生する負圧によってこの底部吸気孔114から外気を吸気可能とし、底部吸気孔114より吸気された外気と、冷却ファンの吐出口113より排気された空気とを混合し、この混合した豊富な風量の空気で光源装置63や光源装置63と共に排気側空間室122に設けられる反射ミラーなどを含む光源部を冷却して冷却した後の空気を前面板12に設けた排気孔17より外部に排出するものである。
【００１５】
尚、底部吸気孔114には、冷却ファンの吐出口113の排気が底部吸気孔114より外部に流出することを防止するための整流板115を取付け、排気孔17には、筐体内の光が外部に漏れないようにルーバー20を設けるものである。
【００１６】
本実施の形態によれば、冷却ファンの吐出口113からの排気だけでなく、外気も共に排気側空間室122内に吸い込んで光源装置63を冷却することができるため、豊富な風量を確保でき、一つのファンで効率のよい冷却可能な冷却構造を有するプロジェクタを提供できる。
【実施例】
【００１７】
以下、本発明の実施例を図に基づいて詳説する。本発明の一つの実施例に係るプロジェクタは、図１に示すように、略直方体形状であって、本体ケースである前面板12の側方に投影口を覆うレンズカバー19を有すると共に、この前面板12には複数の排気孔17を設けており、排気孔17には筐体内の光が外部に漏れないようにすると共に排熱風が投影口の前方に流れないようにするためのルーバー20を有するものである。
【００１８】
又、図１には図示を省略しているも、本体ケースである上面板11にはキー／インジケータ部を設けるものであり、このキー／インジケータ部には、電源スイッチキーや電源のオン又はオフを報知するパワーインジケータ、光源装置のランプを点灯させるランプスイッチキー及びランプの点灯を表示するランプインジケータ、光源装置等が過熱したときに報知をする過熱インジケータ等のキーやインジケータを設けるものである。
【００１９】
更に、図示しない本体ケースの背面には、背面板にＵＳＢ端子や画像信号入力用のＤ−ＳＵＢ端子、Ｓ端子、ＲＣＡ端子等を設ける入出力コネクタ部及び電源アダプタプラグやリモートコントローラからの制御信号を受信するＩｒ受信部等を設けているものである。
【００２０】
尚、図示しない本体ケースの側板である右側板14、及び、図１に示した側板である左側板15には、各々複数の吸気孔18を設けているものである。
【００２１】
そして、このプロジェクタ10の制御回路は、図２に示すように、制御部38、入出力インターフェース22、画像変換部23、表示エンコーダ24、表示駆動部26等を有するものであって、入出力コネクタ部21から入力された各種規格の画像信号は、入出力インターフェース22、システムバス（ＳＢ）を介して画像変換部23で表示に適した所定のフォーマットの画像信号に統一するように変換された後、表示エンコーダ24に送られるものである。
【００２２】
又、表示エンコーダ24は、送られてきた画像信号をビデオＲＡＭに展開記憶させた上でこのビデオＲＡＭの記憶内容からビデオ信号を生成して表示駆動部26に出力するものである。
【００２３】
そして、表示エンコーダ24からビデオ信号が入力される表示駆動部26は、送られてくる画像信号に対応して適宜フレームレートで空間的光変調素子（ＳＯＭ）である表示素子51を駆動するものであり、光源装置63からの光を光源側光学系を介して表示素子51に入射することにより、表示素子51の反射光で光像を形成し、投影側光学系とする投影系レンズ群を介して図示しないスクリーンに画像を投影表示するものであり、この投影系レンズ群の可動レンズ群97は、レンズモータ45によりズーム調整やフォーカス調整のための駆動が行われるものである。
【００２４】
又、画像圧縮伸長部31は、画像信号の輝度信号及び色差信号をＡＤＴＣ及びハフマン符号化等の処理によりデータ圧縮して着脱自在な記録媒体とされるメモリカード32に順次書き込む記録処理や、再生モード時はメモリカード32に記録された画像データを読み出し、一連の動画を構成する個々の画像データを1フレーム単位で伸長して画像変換部23を介して表示エンコーダ24に送り、メモリカード32に記憶された画像データに基づいて動画等の表示を可能とするものである。
【００２５】
そして、制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００２６】
又、本体ケースの上面板11に設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に送られるものである。
【００２７】
尚、制御部38にはシステムバス（ＳＢ）を介して音声処理部47が接続されており、音声処理部47はＰＣＭ音源等の音源回路を備え、投影モード及び再生モード時には音声データをアナログ化し、スピーカ48を駆動して拡声放音させることができるものである。
【００２８】
又、この制御部38は、電源制御回路41を制御するものであり、ランプスイッチキーが操作されると電源制御回路41により光源装置のランプ64を点灯させ、更に、冷却ファン駆動制御回路43には、光源装置等に設けた温度センサーによる温度検出を行わせて、冷却ファンの回転速度を制御させ、又、タイマー等により光源装置のランプ消灯後も冷却ファンの回転を持続させるものである。
【００２９】
そして、これらのＲＯＭ、ＲＡＭ、ＩＣや回路素子は、主制御基板としての制御回路基板103に取付けるものであり、電力系の電源制御回路41はランプ電源回路ブロック101に組み込み、制御系の主制御基板とした制御回路基板103と電力系のランプ電源回路ブロック101とを分けて形成しているものである。
【００３０】
又、このプロジェクタ10の内部構造は、図３に示すように、ランプ電源回路ブロック101等を取付けた電源制御回路基板102を右側板14の近傍に配置し、図４に示すように、シロッコファンタイプのブロア110を冷却ファンとして底面板16における背面板13の近傍に配置し、投影側光学系62を左側板15に沿って配置し、光源装置63を前面板12の近傍に配置し、光源側光学系61をブロア110と投影側光学系62との間で光源装置63の後方側に配置している。
この、光源側光学系61は、カラーホイール71や導光ロッド75、ミラー72,74レンズ群83などで構成しているものである。
【００３１】
そして、ブロア110は、図５に示すように、吸込み口111がブロア110の上面側にあり、吐出口113は略正方形断面であって、後述する隔壁に接続され、隔壁によって区別された空間にブロア110からの排風を排出するものであって、ブロア110の吸込み口111の近傍には制御回路基板103が配設されるものである。
【００３２】
又、このプロジェクタ10は内部を区画用隔壁120により、各種光学系や各種基板等のように比較的低温の装置が配置される吸気側空間室121と、光源装置63のように高温となる装置及び光源装置63の近くに配置される第１反射ミラー72やカラーホイール71などの光源部を配置する排気側空間室122に区画されている。
【００３３】
この区画用隔壁120は、それぞれ板状の第１隔壁123と、第２隔壁124と、第３隔壁125と、第４隔壁126とにより構成されている。
そして、第１隔壁123は、投影側光学系62と光源装置63とを隔てるための壁であり、投影側光学系62と光源装置63の間を左側面15と平行に、前面板12から側面の長手方向の略中点近傍までを隔てている。
【００３４】
又、第２隔壁124は、第１隔壁123の端部から前面板12と平行に伸びており、導光ロッド75を貫通させ、更にブロア110の吐出口113を貫通させて、電源制御回路基板102までを隔てている。この第２隔壁はブロア110の吐出口113からの排気を完全に排気側空間室120側に排気させるために設けられている隔壁である。
【００３５】
更に、第３隔壁125は、第２隔壁124の端部から電源制御回路基板102と平行に電源制御回路基板102の端部までを隔てている。
そして、第４隔壁126は、第３隔壁125の端部から前面板12と平行に右側面14までを隔てている。
この第３隔壁125と第４隔壁126は、電源制御回路基板102と排気側空間室122を区画するために設けられている隔壁である。
【００３６】
尚、第１隔壁121と、第２隔壁122と、第３隔壁123と、第４隔壁124は断熱性を有する板材を用いている。これにより排気側空間室122内の光源装置63が発する高熱が外部に漏れるのを防ぐことができる。
【００３７】
又、図６に示すように、底面板16には、冷却ファンとしたブロア110の吐出口113近傍に、底部吸気孔114が設けられている。ブロア110の吐出口113から排気風が排出されると底面板16の上面には負圧が発生し、この底面板16の底部吸気孔114から外気が取り込まれる。これにより他の装置を冷却した後にブロア110の吸込み口111から吸気され、排気側空間室122に排出される空気と底面板16の底部吸気孔114から吸気される低温の外気とが排気側空間室122内で混合されることとなり、この混合された空気が光源装置63やカラーホイール71などを冷却することになる。
【００３８】
又、この底部吸気孔114には吐出口113から排出された空気が外部に漏れないように流れと同方向の向きに整流板115を斜に設けており、これにより外部にブロア110からの排気が漏れるのを防止することができる。
【００３９】
そして、このプロジェクタ10の光学系は、図４に示したように、防爆ガラスで前面を覆ったリフレクタ65の内部に超高圧水銀ランプを放電ランプ64として設けた光源装置63と、この光源装置63から射出された光を表示素子51とするＤＭＤ（デジタル・マイクロミラー・デバイス）に照射する光源側光学系61と、図３に示した表示素子51と、表示素子51で反射されて画像を形成する光をスクリーンに放出する投影側光学系62のレンズ群で構成するものである。
【００４０】
この、光源側光学系61は、光源装置63から射出された光をカラーホイール71に反射する第１反射ミラー72と、赤色光、緑色光、青色光とするカラーフィルタを周囲に設けてホイールモータ73により回転されるカラーホイール71と、カラーホイール71のフィルタを透過した光を均一な強度分布の光束とする導光ロッド75と、導光ロッド75から射出された光の向きを90度変更する第２反射ミラー74と、この第２反射ミラー74により反射した光を表示素子51に集光させる複数枚のレンズで形成した光源側レンズ群83及び光源側レンズ群83を透過した光を表示素子51に所定の角度で照射する照射ミラー等で形成している。
【００４１】
第２反射ミラー74はミラー固定具70で底面板16等と上面板11との間に支持するように固定している。尚、本実施例では第２反射ミラー74を用いているが、導光ロッド75からの光の向きを変えることをできればよく、導光ロッド75とプリズムを組み合わせて用いることでも同様の効果を得ることができる。
【００４２】
更に、投影側光学系62としては、固定鏡筒91に内蔵する固定レンズ群93と可動鏡筒95に内蔵する可動レンズ群97とにより構成し、ズーム機能を備えた可変焦点型レンズとしているものであり、レンズモータ45により可動レンズ群97を移動させてズーム調整やフォーカス調整を可能としているものである。
【００４３】
次にプロジェクタ10内の空気の流れについて述べる。図７に示すように背面板13には、表示素子51の後方部分に吸気孔18を設け、背面板13と表示素子取付け板55とにより空気の流通路を形成して背面板13に設けた吸気孔18及び左側板15の後方に設けた吸気孔18から吸い込まれる外気を背面板13に沿ってブロア110方向に流すようにしている。
【００４４】
そして、表示素子取付け板55の後方には表示素子放熱板53を配置するものであり、制御回路基板103は２枚の制御基板としてこの２枚の制御回路基板103の間や２枚の制御回路基板103の上方又は下方において、制御回路基板103に沿って流れる空気がブロア110の吸込み口111に吸い込まれるようにしている。
【００４５】
従って、このブロア110のファンを回転させると、冷却ファンとしたブロア110は周辺の空気を吸込み口111より吸い込み、プロジェクタ10内部のブロア110周辺の空気を吸い込むことにより、プロジェクタ10の筐体の側板に設けた多数の吸気孔18からプロジェクタ10の内部に外気を吸い込むことができるものである。
【００４６】
そして、左側板15における後方の吸気孔18や背面板13に設けた吸気孔18から吸い込まれる外気の一部は、表示素子放熱板53を冷却するように背面板13と表示素子取付け板55との間の空気流通路を流れ、制御回路基板103に沿って制御回路基板103の上面や下面及び制御回路基板103の相互間の空間を通ってブロア110の吸込み口111に吸い込まれる。又、左側板15の吸気孔18から吸気されたその他の外気は、投影側光学系62や第２反射ミラー74、導光ロッド75の露出部等を冷却し、ブロア110の吸込み口111に吸い込まれる。
【００４７】
又、右側板14の吸気孔18からプロジェクタ10の内部に吸い込まれる外気は、一部はランプ電源101等の周囲を通って電源回路基板102を冷却しながら制御回路基板103に至り、制御回路基板103に沿って流れるようにしてブロア110の吸込み口111に吸い込まれる。尚、残りの吸い込まれた外気は第１隔壁121に沿って流れブロア110の吸込み口111に吸い込まれる。
【００４８】
そして、排気側空間室122に吹き込まれるブロア110の排気は、負圧により底面板16の吸気孔から外気を吸い上げて外気を排気風に混合し、この混合した空気の一部がカラーホイール71に沿って流れ、大部分は高温となった光源装置63の周囲に流れる。又、光源装置63の周囲を流れる空気の一部はリフレクタ65に設けられた開口部からリフレクタ65の内部を通るように流れ、光源装置63や第１反射ミラー72、カラーホイール71などの光源部を冷却する。
【００４９】
このようにして、排気側空間室122内で光源装置63やカラーホイール71を冷却した後の高温の空気は、前面板12全体に広がり、前面板12に設けられた排気孔17より排出される。そして、排気孔17にはルーバー20を取付けているため、内部の光を外部に漏れないように遮断することができると共に、外部に排出する排気温を低減させることもでき、更に、右側面14側に向かって斜めにルーバー20が取付けられているため、投影側光学系62方向に高温の排気が排出されることも防止できる。
【００５０】
本実施例によれば、排気側空間室122に底部吸気孔114を設け、ブロア110の吐出口113から空気を排気することにより発生する負圧で底部吸気孔114から外気を吸気し、吐出口113からの空気と、底部吸気孔114から吸気した外気とを混合することにより、排気側空間室122内の風量を充分に増加させることができると共に光源装置63などに吹き付ける空気の温度を低下させ、千度近くまでの高温になる光源装置63の温度を充分に冷却し、プロジェクタ10の外部に排出される排熱風の温度も低減することができる。
【００５１】
又、本実施例によれば、吸気側空間室121と排気側空間室122に完全にプロジェクタ10の内部を区画しているので、排気側空間室122内の高温の空気が吸気側空間室121内に流れ込むことも防止できる。
なお、ホイールモータ73やカラーホイール71は、排気側空間室122に配置する場合に限ることなく、導光ロッド75の射出側端部の近くである吸気側空間室121に配置されることもある。
【００５２】
次に本発明の他の実施例について述べる。本実施例のプロジェクタ10は、図８に示すように、第一吸い込み口117と第二吸込み口118とを両面に備えるブロア110を用い、底面板16の第二吸い込み口118の近傍にファン吸気孔116を設けているものである。
【００５３】
このように、対向する面に各々吸い込み口117,118を備えたブロア110近傍の空気の流れは、第一吸い込み口117で制御回路基板103周辺の吸気側空間室121の空気を吸気し、第二吸い込み口118で外気を吸気し、第一吸い込み口117と第二吸い込み口118で吸気した空気を混合して吐出口113より排気側空間室122に排気するものである。
【００５４】
これにより、排気側空間室122内に排気する風量を増加させると共に温度を低下させることができ、千度近くまで高温となる光源装置63を冷却するのに充分な風量を確保し、排熱風の温度も低くすることができる。尚、他の構成は前実施例と同様である。
そして、プロジェクタ10に内蔵する冷却ファンは、吐出口113を排気側空間室122に開口し、吸込み口111、117を吸気側空間室121に配置するブロア110のみに限ることなく、吸気側空間室121の種々の熱源を個別に冷却する補助的な冷却ファンを更に設けることもある。
【００５５】
又、本発明は、以上の実施例に限定されるものでなく、発明の要旨を逸脱しない範囲で自由に変更、改良が可能である。そして、本発明の排気温低減構造はプロジェクタに限らずリアプロジェクションＴＶや、パーソナルコンピュータ等に用いることもできる。尚、冷却ファンはシロッコファンタイプのブロア110に限るものではない。
【図面の簡単な説明】
【００５６】
【図１】本発明の一つの実施例にかかるデータプロジェクタの外観を示す図。
【図２】本発明の一つの実施例にかかるデータプロジェクタの制御ブロック図。
【図３】本発明の一つの実施例にかかるデータプロジェクタの上面板の一部を取り除いた斜視図。
【図４】本発明の一つの実施例にかかるデータプロジェクタの上面板を取り除いた斜視図。
【図５】本発明の一つの実施例にかかるデータプロジェクタのブロアの斜視図。
【図６】本発明の一つの実施例にかかるデータプロジェクタのブロア近傍の断面図。
【図７】本発明の一つの実施例にかかるデータプロジェクタの空気の流れを示す説明図。
【図８】本発明の他の実施例にかかるデータプロジェクタのブロア近傍の断面図。
【符号の説明】
【００５７】
10  プロジェクタ                        11  上面板
12  前面板                              13  背面板
14  右側板                              15  左側板
16  底面板                              17  排気孔
18  吸気孔                              19  レンズカバー
20  ルーバー                            21  入出力コネクタ部
22  入出力インターフェース              23  画像変換部
24  表示エンコーダ                      25  ビデオＲＡＭ
26  表示駆動部                          31  画像圧縮伸長部
32  メモリカード                        35  Ｉｒ受信部
36  Ｉｒ処理部                          37  キー／インジケータ部
38  制御部                              41  電源制御回路
43  冷却ファン駆動制御部                45  レンズモータ
47  音声処理部                          48  スピーカ
51  表示素子                            53  放熱板
55  表示素子取付け板                    61  光源側光学系
62  投影側光学系                        63  光源装置
64  放電ランプ                          65  リフレクタ
70  ミラー固定具                        71  カラーホイール
72  第１反射ミラー                      73  ホイールモータ
74  第２反射ミラー                      75  導光ロッド
81  レンズ鏡筒                          83  光源側レンズ群
91  固定鏡筒                            93  固定レンズ群
95  可動鏡筒                            97  可動レンズ群
101  ランプ電源回路ブロック             102  電源制御回路基板
103  制御回路基板                       110  ブロア
111  吸込み口                           113  吐出口
114  底部吸気孔                         115  整流板
116  ファン吸気孔                       117  第一吸い込み口
118  第二吸い込み口                     120  区画用隔壁
121  吸気側空間室                       122  排気側空間室
123  第１隔壁                           124  第２隔壁
125  第３隔壁                           126  第４隔壁
【図１】
0004692823.tif 000002
【図２】
0004692823.tif 000003
【図３】
0004692823.tif 000004
【図４】
0004692823.tif 000005
【図５】
0004692823.tif 000006
【図６】
0004692823.tif 000007
【図７】
0004692823.tif 000008
【図８】
0004692823.tif 000009